(57)【特許請求の範囲】
【請求項１】
透明フィルム材による基材上に、画像表示パネルからの出射光に対応する位相差を与える位相差層が設けられ、
前記位相差層は、
第1の方向に遅相軸を有する第1の領域と、前記第1の領域とは異なる第２の方向に遅相軸を有する第２の領域とが順次交互に設けられ、
前記第１の領域と第２の領域との境界が、蛇行するように形成され、
前記蛇行が、前記第１及び第２の領域の作製周期の規則性を緩和し、前記第１及び第２の領域の作製周期と前記画像表示パネルの遮光部の作製周期との規則性によって表示画面に生じる他の部位に比して明るさの異なる帯状領域の発生を低減する蛇行である
パターン位相差フィルム。
【請求項２】
前記境界の蛇行は、振幅が１μｍ以上、５０μｍ以下である
請求項１に記載のパターン位相差フィルム。
【請求項３】
前記境界が、前記位相差層に係る液晶の未配向領域である
請求項１又は請求項２に記載のパターン位相差フィルム。
【請求項４】
前記第1の領域が、
右目用画像データで駆動される前記画像表示パネルの画素からの出射光に対応する位相差を与える右目用領域であり、
前記第２の領域が、
左目用画像データで駆動される前記画像表示パネルの画素からの出射光に対応する位相差を与える左目用領域である
請求項１、請求項２又は請求項３に記載のパターン位相差フィルム。
【請求項５】
請求項１、請求項２、請求項３、又は請求項４に記載のパターン位相差フィルムを配置した
画像表示装置。
【請求項６】
パターン位相差フィルムの製造用金型において、
前記パターン位相差フィルムは、
透明フィルム材による基材上に、配向膜、位相差層が設けられ、
前記位相差層は、
第1の方向に遅相軸を有する第1の領域と、前記第1の領域とは異なる第２の方向に遅相軸を有する第２の領域とが順次交互に設けられ、
前記パターン位相差フィルムの製造用金型は、
賦型処理により前記配向膜の凹凸形状の作製に供する製造用金型であり、
前記第1の領域に対応する領域と前記第２の領域に対応する領域とが交互に設けられ、
前記第１の領域に対応する領域と第２の領域に対応する領域との境界が、蛇行するように形成された
パターン位相差フィルムの製造用金型。
【請求項７】
前記第1の領域が、
右目用画像データで駆動される画像表示パネルの画素からの出射光に対応する位相差を与える右目用領域であり、
前記第２の領域が、
左目用画像データで駆動される前記画像表示パネルの画素からの出射光に対応する位相差を与える左目用領域である
請求項６に記載のパターン位相差フィルムの製造用金型。
【請求項８】
製造用金型を作製する製造用金型の作製工程と、
前記製造用金型を使用した賦型処理により基材上に配向膜を作製する配向膜作製工程と、
前記配向膜の上に位相差層を作製する位相差層作製工程とを備え、
前記製造用金型の作製工程は、
母材の表面に、ライン状の凹凸形状が作製された帯形状による第１の領域と、前記第１の領域におけるライン状の凹凸形状とは延長方向が異なるライン状の凹凸形状が作製された帯形状による第２の領域とが順次交互に連続するようにして、前記配向膜に係るライン状の凹凸形状を作製する凹凸形状の作製工程を備え、
前記凹凸形状の作成工程は、
マスクラビングにより前記第１の領域及び又は前記第２の領域に係る前記ライン状の凹凸形状を作製し、
当該マスクラビングにかかるマスクは、前記第１の領域及び前記第２の領域の境界に対応する部位が蛇行するように形成された
パターン位相差フィルムの製造方法。
【発明の詳細な説明】
【技術分野】
【０００１】
本発明は、パッシブ方式による３次元画像表示に適用するパターン位相差フィルムに関するものである。
【背景技術】
【０００２】
近年、３次元表示可能なフラットパネルディスプレイが提供されている。ここでフラットパネルディスプレイにおいて３次元表示をするには、通常、何らかの方式で右目用の画像と、左目用の画像とを、それぞれ選択的に視聴者の右目及び左目に提供することが必要である。右目用の画像と左目用の画像とを選択的に提供する方法としては、例えば、パッシブ方式が知られている。このパッシブ方式の３次元表示方式について図を参照しながら説明する。図１８は、液晶表示パネルを使用したパッシブ方式の３次元表示の一例を示す概略図である。この図１８の例では、液晶表示パネルの垂直方向に連続する画素を、順次交互に、右目用の画像を表示する右目用画素、左目用の画像を表示する左目用画素に振り分け、それぞれ右目用及び左目用の画像データで駆動し、これにより右目用の画像と左目用の画像とを同時に表示する。なおこれにより液晶表示パネルの画面は、短辺が垂直方向で長辺が水平方向となる帯状の領域により、右目用の画像を表示する領域と左目用の画像を表示する領域とに交互に区分されることになる。
【０００３】
さらにパッシブ方式では、液晶表示パネルのパネル面にパターン位相差フィルムを配置し、右目用及び左目用の画素からの直線偏光による出射光を、右目用及び左目用で回転方向の異なる円偏光に変換する。このためパターン位相差フィルムは、液晶表示パネルにおける領域の設定に対応して、遅相軸方向（屈折率が最大となる方向）が直交する２種類の帯状領域が順次交互に形成される。これによりパッシブ方式では、対応する偏光フィルタを備えてなる眼鏡を装着して、右目用の画像と左目用の画像とをそれぞれ選択的に視聴者の右目及び左目に提供する。なおここでこの隣接する帯状領域の遅相軸方向は、通常、水平方向に対して、＋４５度と−４５度、０度と＋９０度、又は０度と−９０度の何れかの組み合わせが採用される。なおこの図１８の例では、通常の画像表示装置における呼称に習って画面の長辺方向を水平方向として示す。
【０００４】
このパッシブ方式は、応答速度の遅い液晶表示装置でも適用することができ、さらにパターン位相差フィルムと円偏光メガネとを用いた簡易な構成で３次元表示することができる。
【０００５】
このパッシブ方式に係るパターン位相差フィルムは、画素の割り当てに対応して透過光に位相差を与えるパターン状の位相差層が必要である。このパターン位相差フィルムに関して、特許文献１には、配向規制力を制御した光配向膜をガラス基板上に形成し、この光配向膜により液晶の配列をパターンニングして位相差層を作成する方法が開示されている。また特許文献２には、レーザーの照射によりロール版の周側面に微細な凹凸形状を形成し、この凹凸形状を転写してパターン状に配向規制力を制御した光配向膜を作製する方法が開示されている。
【０００６】
ところでパターン位相差フィルムを使用したディスプレイ装置において、白色画面を表示したところ、図１９に示すように、あたかもモアレ縞のように、他の部位に比して明るさの異なる帯状領域ＯＢが発生した。この帯状領域ＯＢは、一般の動画を表示した場合にも、視聴者に不自然な印象を与えるものであった。このような他の部位に比して明るさの異なる帯状領域ＯＢの発生は防止することが望まれる。
【先行技術文献】
【特許文献】
【０００７】
【特許文献１】特開２００５−４９８６５号公報
【特許文献２】特開２０１０−１５２２９６号公報
【発明の概要】
【発明が解決しようとする課題】
【０００８】
本発明はこのような状況に鑑みてなされたものであり、パターン位相差フィルムを使用したパッシブ方式の画像表示装置において、他の部位に比して明るさの異なる帯状領域の発生を防止することができるパターン位相差フィルム、このパターン位相差フィルムを使用した画像表示装置、パターン位相差フィルムの製造用金型、パターン位相差フィルムの製造方法を提供することを目的とする。
【課題を解決するための手段】
【０００９】
本発明者は、上記課題を解決するために鋭意研究を重ね、位相差層における領域間の境界を非直線化するとの着想に至り、本発明を完成するに至った。
【００１０】
具体的には、本発明では、以下のようなものを提供する。
【００１１】
（１）  透明フィルム材による基材上に、画像表示パネルからの出射光に対応する位相差を与える位相差層が設けられ、
前記位相差層は、
第1の方向に遅相軸を有する第1の領域と、前記第1の領域とは異なる第２の方向に遅相軸を有する第２の領域とが順次交互に設けられ、
前記第１の領域と第２の領域との境界が、蛇行するように形成される。
【００１２】
（１）によれば、第１の領域と第２の領域との境界が、蛇行するように形成されていることから、他の部位に比して明るさの異なる帯状領域の発生が防止される。
【００１３】
（２）  （１）において、
前記境界の蛇行は、振幅が１μｍ以上、５０μｍ以下である。
【００１４】
（２）によれば、より確実に、他の部位に比して明るさの異なる帯状領域の発生が防止される。
【００１５】
（３）  （１）又は（２）において、
前記境界が、前記位相差層に係る液晶の未配向領域である。
【００１６】
（３）によれば、より具体的構成により境界を把握することができる。
【００１７】
（４）  （１）、（２）又は（３）において、
前記第1の領域が、
右目用画像データで駆動される前記画像表示パネルの画素からの出射光に対応する位相差を与える右目用領域であり、
前記第２の領域が、
左目用画像データで駆動される前記画像表示パネルの画素からの出射光に対応する位相差を与える左目用領域である。
【００１８】
（４）によれば、画像表示パネルとの対応により各領域を把握することができる。
【００１９】
（５）  （１）、（２）、（３）又は（４）に記載のパターン位相差フィルムを配置する。
【００２０】
（５）によれば、輝度レベルの局所的な変動による縞模様の発生を防止した画像表示装置を提供することができる。
【００２１】
（６）  パターン位相差フィルムの製造用金型において、
前記パターン位相差フィルムは、
透明フィルム材による基材上に、配向膜、位相差層が設けられ、
前記位相差層は、
第1の方向に遅相軸を有する第1の領域と、前記第1の領域とは異なる第２の方向に遅相軸を有する第２の領域とが順次交互に設けられ、
前記パターン位相差フィルムの製造用金型は、
賦型処理により前記配向膜の凹凸形状の作製に供する製造用金型であり、
前記第1の領域に対応する領域と前記第２の領域に対応する領域とが交互に設けられ、
前記第１の領域に対応する領域と第２の領域に対応する領域との境界が、蛇行するように形成される。
【００２２】
（６）によれば、製造用金型を使用した賦型処理により配向膜を作製してパターン位相差フィルムを製造する場合に、この配向膜における第１及び第２の領域に対応する領域の境界が蛇行するように設定することができ、その結果、位相差層における第1及び第２の領域間の境界が、蛇行するように形成される。これにより他の部位に比して明るさの異なる帯状領域の発生が防止される。
【００２３】
（７）  （６）において、
前記第1の領域が、
右目用画像データで駆動される画像表示パネルの画素からの出射光に対応する位相差を与える右目用領域であり、
前記第２の領域が、
左目用画像データで駆動される前記画像表示パネルの画素からの出射光に対応する位相差を与える左目用領域である。
【００２４】
（７）によれば、画像表示パネルとの対応により各領域を把握することができる。
【００２５】
（８）  製造用金型を作製する製造用金型の作製工程と、
前記製造用金型を使用した賦型処理により基材上に配向膜を作製する配向膜作製工程と、
前記配向膜の上に位相差層を作製する位相差層作製工程とを備え、
前記製造用金型の作製工程は、
母材の表面に、ライン状の凹凸形状が作製された帯形状による第１の領域と、前記第１の領域におけるライン状の凹凸形状とは延長方向が異なるライン状の凹凸形状が作製された帯形状による第２の領域とが順次交互に連続するようにして、前記配向膜に係るライン状の凹凸形状を作製する凹凸形状の作製工程を備え、
前記凹凸形状の作製工程は、
マスクラビングにより前記第１の領域及び又は前記第２の領域に係る前記ライン状の凹凸形状を作製し、
当該マスクラビングにかかるマスクは、前記第１の領域及び前記第２の領域の境界に対応する部位が蛇行するように形成された
パターン位相差フィルムの製造方法。
【００２６】
（８）によれば、この製造方法により作成したパターン位相差フィルムにおいて、第１及び第２の領域に対応する領域の境界が、蛇行するように形成されることから、他の部位に比して明るさの異なる帯状領域の発生が防止される。
【発明の効果】
【００２７】
本発明によれば、パターン位相差フィルムを使用したパッシブ方式の画像表示装置において、他の部位に比して明るさの異なる帯状領域の発生を防止することができる。
【図面の簡単な説明】
【００２８】
【図１】本発明の第１実施形態に係るパターン位相差フィルムを示す図である。
【図２】図１のパターン位相差フィルムの製造工程の説明に供する図である。
【図３】ロール版の製造工程を示す図である。
【図４】図３の続きを示す図である。
【図５】露光用マスクの説明に供する図である。
【図６】図５の例とは異なる例による露光用マスクの説明に供する図である。
【図７】図５及び図６の例とは異なる例による露光用マスクの説明に供する図である。
【図８】ロール版における境界の説明に供する図である。
【図９】パターン位相差フィルムにおける境界の写真である。
【図１０】図９とは異なる撮影方法によるパターン位相差フィルムの写真である。
【図１１】図９の拡大写真である。
【図１２】境界の説明に供する図である。
【図１３】第２実施形態に係る面出し工程の説明に供する図である。
【図１４】第２実施形態に係るロール版の説明に供する図である。
【図１５】第２実施形態に係るパターン位相差フィルムを示す図である。
【図１６】第２実施形態に係るロール版の製造工程の説明に供する図である。
【図１７】図１６の続きを示す図である。
【図１８】パッシブ方式による３次元画像表示の説明に供する図である。
【図１９】他の部位に比して明るさの異なる帯状領域の説明に供する図である。
【発明を実施するための形態】
【００２９】
以下、本発明の実施形態について図面を参照しながら説明する。
【００３０】
〔第１実施形態の全体構成〕
図１は、本発明の第１実施形態に係る画像表示装置に適用されるパターン位相差フィルムを示す図である。この第１実施形態に係る画像表示装置は、垂直方向（図１においては左右方向が対応する方向である）に連続する液晶表示パネルの画素が、順次交互に、右目用の画像を表示する右目用画素、左目用の画像を表示する左目用画素に振り分けられて、それぞれ右目用及び左目用の画像データで駆動される。これにより画像表示装置は、右目用の画像を表示する帯状の領域と、左目用の画像を表示する帯状の領域とに表示画面が交互に区分され、右目用の画像と左目用の画像とを同時に表示する。この画像表示装置は、この液晶表示パネルのパネル面に、この図１に示すパターン位相差フィルム１が配置され、このパターン位相差フィルム１により右目用及び左目用の画素からの出射光にそれぞれ対応する位相差を与える。これによりこの画像表示装置は、パッシブ方式により所望の立体画像を表示する。
【００３１】
ここでパターン位相差フィルム１は、ＴＡＣ（トリアセチルセルロース）等の透明フィルムからなる基材２の一方の面上に、配向膜３、位相差層４が順次作製される。パターン位相差フィルム１は、位相差層４が屈折率異方性を保持した状態で固化（硬化）された液晶材料により形成され、この液晶材料の配向を配向膜３の配向規制力によりパターンニングする。なおこの液晶分子の配向を図１では細長い楕円により誇張して示す。このパターンニングにより、パターン位相差フィルム１は、液晶表示パネルにおける画素の割り当てに対応して、一定の幅により、右目用の領域（第1の領域）Ａと左目用の領域（第２の領域）Ｂとが順次交互に帯状に形成され、右目用及び左目用の画素からの出射光にそれぞれ対応する位相差を与える。
【００３２】
配向膜３は、基材２の表面に、微細な凹凸形状の賦型に供する樹脂である賦型用樹脂が塗付され、この賦型用樹脂の賦型処理により凹凸形状が作製される。この実施形態では、この賦型用樹脂に紫外線硬化性樹脂が適用される。なお紫外線硬化性樹脂としては、アクリレート系、メタクリレート系、エポキシ系等の単量体、プレポリマー、或いはこれらの混合物にベンゾフェノン、芳香族ヨードニウム等の光重合開始剤を添加したものを適用することができる。
【００３３】
これによりパターン位相差フィルム１は、基材２の表面に紫外線硬化性樹脂５が塗布された後、この紫外線硬化性樹脂５の表面に微小な凹凸形状が形成され、この微小な凹凸形状により配向膜３が形成される。パターン位相差フィルム１は、後述する賦型用金型の表面に作製された微小な凹凸形状を転写して、配向膜３に係る微小な凹凸形状が作製され、この凹凸形状による配向規制力により位相差層４をパターンニングする。このため配向膜３は、右目用及び左目用の帯状領域Ａ及びＢにそれぞれ対応する帯状の領域が順次交互に形成され、それぞれ微小な凹凸形状が作製される。ここでこの微小な凹凸形状は、一方向に延長するライン状（線）の凹凸形状により形成され、この一方向に延長する方向が右目用領域Ａと左目用領域Ｂとで９０度異なる方向となるように、かつ各領域の延長方向（水平方向であり、図１に於いては右上と左下とを結ぶ方向）に対して４５度傾くように形成される。なおこの各領域の延長方向に対する傾きにあっては、基材２のリタデーションが無視できない程度に大きい場合には、リタデーション値に応じて、適宜、増減される。パターン位相差フィルム１は、この図１に示す基本構成に加えて、粘着層、セパレータフィルム、反射防止フィルム等が必要に応じて設けられる。
【００３４】
図２は、このパターン位相差フィルム１の製造工程を示す略線図である。この製造工程１０は、基材２がロールにより提供され、この基材２を供給リール１１から供給する。製造工程１０は、ダイ１２によりこの基材２に紫外線硬化性樹脂の塗布液を塗布する。この製造工程１０において、ロール版２０は、パターン位相差フィルム１の配向膜３に係る凹凸形状が周側面に形成された円筒形状の賦型用金型である。製造工程１０は、紫外線硬化性樹脂が塗布された基材２を加圧ローラ１４によりロール版２０の周側面に押圧し、高圧水銀燈からなる紫外線照射装置１５による紫外線の照射により紫外線硬化性樹脂を硬化させる。これにより製造工程１０は、ロール版２０の周側面に形成された凹凸形状を基材２に転写する。その後、剥離ローラ１６によりロール版２０から硬化した紫外線硬化性樹脂と一体に基材２を剥離し、ダイ１９により液晶材料を塗布する。またその後、紫外線照射装置１７による紫外線の照射により液晶材料を硬化させた後、巻き取りリール１８に巻き取る。パターン位相差フィルム１は、この巻き取りリール１８に巻き取ったシート材に、必要に応じて粘着層、反射防止層等を形成した後、所望の大きさに切断して作製される。これによりパターン位相差フィルム１は、ロールにより提供される基材２を連続して処理して効率良く大量生産される。
【００３５】
図３及び図４は、パターン位相差フィルムの製造用金型であるロール版２０の製造工程を示す図である。なおこの図３及び図４において、パターン位相差フィルム１の領域Ａ、Ｂに対応する領域を、それぞれ符号ＡＲＡ、ＡＲＢにより示す。この製造工程では、面出し工程において、母材４０の周側面を切削により平滑化する。続いてこの製造工程は、下地層４１が作製される（図３（ａ））。ここで母材４０は、ロール版２０の外形形状に対応する円筒形状の金属材料である。母材４０は、加工のしやすさや寸法安定性などから金属材料であることが好ましく、ニッケル、クロム、ステンレス、銅などであることがより好ましい。なおこの実施形態において、母材４０は、銅が適用される。
【００３６】
下地層４１は、上層に設けられる材料層について、母材４０に対する密着力を強化するために設けられる。この実施形態では、下地層４１は、無電解メッキにより、リンをドープしたニッケル層により膜厚５００ｎｍで作製される。
【００３７】
続いてこの工程は、下地層４１の上に、第１の無機材料層４２を作製する。この実施形態では、この第１の無機材料層４２にニッケル層が適用され、スパッタリングにより膜厚１００ｎｍのニッケル層を作製する。なおこの第１の無機材料層４２には、金属材料、無機酸化物、無機窒化物、無機炭化物などの各種無機材料を広く適用することができるものの、加工のしやすさなどから、クロム、チタン、ニッケル、タングステン、ステンレス系金属材料、アルミ、ＳｉＯ２、ＳｉＯｘ、Ａｌ２Ｏ３、Ｃｒ２Ｏ３、ＴｉＯ２、Ｓｉ３Ｎ４、ＡｌＮ、ＴｉＮ、ＳｉＯｘＮｙ、ＳｉＣ、ＷＣ、ＤＬＣなどを適用することができる。
【００３８】
続いてこの工程は、図３（ｂ）に示すように、第１の凹凸形状作製工程において、第１の無機材料層４２の全面に微小なライン状凹凸形状を形成する。ここでこのライン状凹凸形状は、配向膜３の右目用領域又は左目用領域の凹凸形状に対応する微小な凹凸形状である。この実施形態では、ラビング布を使用したラビング処理によりこの凹凸形状が作製される。なお図３及び図４では、便宜上、ラビングロールＲによりラビング処理を示す。
【００３９】
続いてこの工程は、マスク作製工程において、レジスト材料により、右目用領域Ａに対応する領域ＡＲＡを被覆し、かつ左目用領域Ｂに対応する領域ＡＲＢを露出させたマスク４３が作製される（図３（ｃ））。すなわちこの工程では、ポジ型のレジスト剤を全面に塗布した後、露光、現像処理することにより、左目用領域Ｂに対応する領域ＡＲＢを露出させたマスクが作製される。なおレジスト材料としては特に限定されるものではなく、ネガ型レジスト材料を適用しても良い。また塗布方法、露光方法にあっても種々の手法を広く適用することができる
【００４０】
続いて図４（ｄ）に示すように、薄膜作製工程において、全面に、第２の無機材料層４４が作製される。この実施形態では、スパッタリングにより膜厚１００ｎｍのニッケル層を作製し、これによりこの第２の無機材料層４４にニッケル層が適用される。なおこの第２の無機材料層４４は、金属材料、無機酸化物、無機窒化物、無機炭化物などの各種無機材料を広く適用することができるものの、加工のしやすさなどから、クロム、チタン、ニッケル、タングステン、ステンレス系金属材料、アルミ、ＳｉＯ２、ＳｉＯｘ、Ａｌ２Ｏ３、Ｃｒ２Ｏ３、ＴｉＯ２、Ｓｉ３Ｎ４、ＡｌＮ、ＴｉＮ、ＳｉＯｘＮｙ、ＳｉＣ、ＷＣ、ＤＬＣなどから選択される。
【００４１】
続いて図４（ｅ）に示すように、第２の凹凸形状作製工程において、第１の無機材料層４３におけるライン状凹凸形状の延長方向とは異なる方向（この実施形態では第１の無機材料層４３におけるラビング方向とは９０度の角度をなす方向である）に全面をラビング処理し、第２無機材料層（ニッケル層）４４の表面に凹凸形状を作製する。その後、製造工程は、図４（ｆ）に示すように、続くレジスト除去工程において、マスク４３を、その上層の第２無機材料層４４と共に除去する。これらによりこの製造工程は、２回の凹凸形状作製処理により配向膜３の領域Ａ及びＢに対応する凹凸形状を作製し、ロール版２０を作製する。
【００４２】
〔第１実施形態の詳細構成〕
ところで図１９について上述したように、パターン位相差フィルムを使用したディスプレイ装置において、白色画面を表示したところ、あたかもモアレ縞のように、他の部位に比して明るさの異なる帯状領域ＯＢが発生した。種々に検討した結果によれば、この帯状領域Ｂは、パターン位相差フィルムにおける右目用の領域と左目用の領域との境界を非直線化すれば、発生しないことが判った。
【００４３】
すなわちこの帯状領域Ｂは、見る方向を変化させるとその形状が変化することにより、モアレと同様に、規則正しい繰り返し模様の重ね合わせにより視覚的に発生するものと考えられる。画像表示パネルでは、マトリックス状に画素が配置され、画素間にはいわゆるブラックマトリックスによる遮光部が設けられる。これに対してパターン位相差フィルムにおいては、位相差層に右目用の領域と左目用の領域とが交互に設けられ、この右目用及び左目用の領域間の境界が、画像表示パネルの遮光部と重なり合うように配置される。しかしながらこのように右目用及び左目用の領域間の境界が、画像表示パネルの遮光部に重なり合うように配置しても、各画素から斜め出射する出射光は、右目用及び左目用の領域間の境界を透過することになり、これによりパターン位相差フィルムにおける右目用領域及び左目用領域の作製周期と、画像表示パネルにおける遮光部の作製周期との規則性により帯状領域ＯＢが観察されると考えられる。これによりパターン位相差フィルムにおける右目用の領域と左目用の領域との境界を非直線により作製すれば、パターン位相差フィルムにおける右目用領域及び左目用領域の作製周期の規則性を緩和し、帯状領域ＯＢが視認されなくなると考えられる。
【００４４】
このためこの実施形態では、マスク作製工程（図３（ｃ））において、マスク４３の作製に使用する露光用マスクの設定により、ロール版２０における右目用領域ＡＲＡ及び左目用領域ＡＲＢ間の境界を蛇行させ、ロール版２０により作製する配向膜３において、この右目用領域Ａ及び左目用領域Ｂの境界を非直線化する。またこれによりこの実施形態では、パターン位相差フィルム１において、位相差層４における右目用領域Ａ及び左目用領域Ｂの境界を蛇行させて非直線化し、他の部位に比して明るさの異なる帯状領域ＯＢの発生を防止する。
【００４５】
ここで図５は、この露光用マスクを部分的に拡大して示す図である。この図５においては、ロール版２０の領域ＡＲＡ、ＡＲＢに対応する領域を、それぞれ符号ＡＡ、ＡＢにより示す。ここでこの露光用マスク５０は、矩形波状に、幅方向（この図５においては左右方向）に、一定のピッチで一定量だけ蛇行するように作製され、これにより領域ＡＡ及びＡＢの境界が矩形波状に蛇行するように作製される。このように境界を蛇行させた場合、マスク４３（図４（ｄ））により母材４０の表面に段差が発生することにより、このマスク４３を使用したマスクラビングの際（図４（ｅ））、この段差の低い側である領域ＡＲＢにおいて、段差の近傍領域では正常にライン状凹凸形状を作製できなくなる。これにより符号Ｘにより示すように、この段差により凹部となる部位では、著しくライン状凹凸形状を作製することが困難になり、その結果、この露光用マスク５０を使用して作成したロール版２０によるパターン位相差フィルム１では、右目用領域Ａ及び左目用領域Ｂの境界が境界幅の変化を伴って蛇行するようになる。これによりパターン位相差フィルム１では、右目用領域及び左目用領域の規則性が緩和され、他の部位に比して明るさの異なる帯状領域の発生を防止することができる。
【００４６】
なおこのように段差の低い側である領域ＡＲＢにおいて、段差の近傍領域では正常にライン状凹凸形状を作製することが困難になることにより、領域ＡＡの幅ＷＡは、領域ＡＢの幅ＷＢに比して、幅狭に形成される。因みに、この図５の例では、領域ＡＡ及びＡＢを幅方向に蛇行させていることにより、領域ＡＡ及びＡＢの幅ＷＡ及びＷＢは、領域ＡＡ及びＡＢの境界の蛇行中心による幅となる。
【００４７】
なおこの図５では、全ての境界が蛇行するように作製されているものの、実用上充分に帯状領域の発生を防止できる場合には、一定の本数毎に、又はランダムな本数毎に、一部の境界のみ蛇行させるようにしてもよい。また長手方向の全てに境界を蛇行させる代わりに、長手方向に、一定の間隔で、又はランダムな間隔により、離散的に蛇行させるようにしてもよい。また蛇行させる量も、一定量により蛇行させる代わりに、蛇行させる量をランダムに変化させるようにしてもよい。またこのような矩形波状の境界の蛇行に代えて、正弦波状、三角波状に境界を蛇行させてもよい。
【００４８】
図６は、各領域ＡＡ及びＡＢにおいて、両側の境界で蛇行を異ならせた場合を示す図である。この図６に示すように、１つの領域の両側の境界で蛇行を異ならせるようにしてもよい。なおこのように露光用マスクにおいて境界を蛇行させる代わりに、例えば図７に示すように、いわゆるＦＭスクリーン（Frequency Modulation Screening）を適用して、境界を跨ぐ一定領域幅の領域ＡＲで、露光に供するドットの密度を低減し、これによりロール版２０における右目用領域ＡＲＡ及び左目用領域ＡＲＢ間の境界を蛇行させるようにしてもよい。なおこの図７の例では、ドット径１０μｍにより露光してこの露光用マスクを作製するようにして、領域ＡＡの中央部分では１００％の密度によりドットを作製して露光処理し、これによりこの中央部分では全面を露光する。また領域ＡＡの境界部分については、境界を跨ぐ領域ＡＲの幅を１０〜１６μｍに設定し、この領域ＡＲでは密度３０〜７０％によりランダムに露光するようにして、ロール版２０における右目用領域ＡＲＡ及び左目用領域ＡＲＢ間の境界を蛇行させることができる。
【００４９】
図８は、図６の露光用マスクを使用した場合の、ロール版２０の詳細を示す図である。この場合、ロール版２０は、露光用マスクの設定に対応して、右目用領域ＡＲＡ及び左目用領域ＡＲＢ間の境界が蛇行するように作製される。またこの境界に、ラビング不良領域により示すように、ラビング処理による凹凸形状が充分に作製されていない、充分に配向規制力を備えていない領域が蛇行するように、さらに幅が変化するように作製される。その結果、このロール版２０により作製されるパターン位相差フィルム１においても、右目用領域Ａ及び左目用領域Ｂの境界が蛇行するように作製される。
【００５０】
図９及び図１０は、実際に作製したパターン位相差フィルム１における境界を詳細に示す写真である。図９は、直交二コルにパターン位相差フィルムを配置し、直交ニコルに対するパターン位相差フィルムの傾きを調製して撮影したものである。図９は、右目用領域Ａ及び左目用領域Ｂの設定により正しく位相差層４が配向している部位で透過光量が最小となるように、直交二コルに対してパターン位相差フィルムの傾きを設定した場合の写真であり、この場合、位相差層の配向が不十分な境界の部位で透過光が検出され、これにより蛇行し、かつ幅の変化する明部の連続線により境界を見て取ることができる。また図１０は、光源の設定によりパターン位相差フィルム１に発生する段差の部分（露光マスクにおける領域ＡＡのエッジ部分）を見て取ることができるようにしたものである。図９（ａ）及び図１０（ａ）は、境界を直線状に作製した場合である。また図９（ｂ）及び図１０（ｂ）は、図５の例による露光用マスクを使用した場合である。また図９（ｃ）及び図１０（ｃ）は、図７の例による露光用マスクを使用した場合である。これらにより右目用領域ＡＲＡ及び左目用領域ＡＲＢ間の境界が、境界幅の変化を伴って蛇行していることが判る。
【００５１】
図１１（ａ）、（ｂ）、（ｃ）は、図９（ａ）、（ｂ）、（ｃ）をそれぞれ部分的に拡大して撮影した写真である。この図１１によれば、より詳細に境界の蛇行、幅の変化を見て取ることができる。なお本願には含まれないものの、実用上充分に帯状領域ＯＢの発生を防止できる場合には、境界の幅のみを変化させるようにしてもよい。
【００５２】
種々に実験した結果によれば、境界の蛇行の大きさは、その振幅が、１μｍ〜５０μmの範囲内であることが好ましく、なかでも、３μｍ〜３６μｍの範囲内であることがより好ましく、特に、５μｍ〜２６μｍの範囲内であれば、画像表示パネルの大きさが種々に異なる場合でも、実用上充分に帯状領域ＯＢの発生を防止することができる。
【００５３】
なお図１２は、このようにして作製される境界の説明に供する図である。この図１２は、境界を横切る方向にパターン位相差フィルムの位相差を測定したものである。パターン位相差フィルムの各部における光軸の向きを観察すると、領域Ａ及びＢでは位相差層における光軸の方向が領域Ａ又はＢの延長方向に対して斜め４５度の角度を成すのに対し、境界では、領域Ａから領域Ｂに向かうに従って徐々に領域Ａの向きから領域Ｂの向きに光軸の向きが変化していることが確認された。
【００５４】
また直交二コル配置（図９、図１０、図１１の撮影の条件である）による偏光板の間にパターン位相差フィルム１を配置して、パターン位相差フィルム１を徐々に回転させて境界を拡大観察したところ、パターン位相差フィルム１の回転により明暗が脈動する不規則な形状による微小領域が密接して配置されていることが判った。これにより境界では、隣接する領域Ａ及びＢによる配向規制力により液晶材料の配向が若干なりとも影響を受けてはいるものの、概ね、配向膜からの配向規制力を受けていない塗布したままの状態である、液晶分分子同士が相互に影響を与え合いながらランダムな向きに液晶分子が配置されている状態で、液晶材料がそのまま固化していると判断される。なおこの図１２に示すように位相差層が変化し、かつ直交二コル配置による観察によりこのような液晶の挙動が見て取れる領域を、液晶の未配向領域と呼ぶ。
【００５５】
以上の構成によれば、パターン位相差フィルムにおいて、右目用領域である第1の領域と左目用領域である第２の領域との境界を蛇行させることにより、他の部位に比して明るさの異なる帯状領域の発生を防止することができる。
【００５６】
またこの蛇行を、振幅が１μｍ以上、５０μｍ以下に設定することにより、確実に帯状領域の発生を防止することができる。
【００５７】
また金型を使用した賦型処理により配向膜を作製してパターン位相差フィルムを作製する場合に、この金型において右目用領域に対応する領域（第１の領域）と左目用領域に対応する領域の領域（第２の領域）との境界を蛇行させることにより、簡易に、帯状領域の発生を防止することができる。
【００５８】
〔第２実施形態〕
図１３は、本発明の第２実施形態に係るロール版製造工程の面出し工程の説明に供する図である。この実施形態では、この図１３に示す面出し工程に関する構成が異なる点を除いて、第１の実施形態と同一に構成される。
【００５９】
ここでこの実施形態では、この面出し工程による切削処理により、配向膜３の右目用領域Ａ及び左目用領域Ｂの長手方向に対して、斜めに傾いた角度θで延長する断面円弧形状による凹溝５２を母材４０に作製する。この実施の形態でこのように凹溝５２を作製した後、右目用領域及び左目用領域に対応するライン状の凹凸形状を作製してロール版５１を作製する。
【００６０】
具体的に、この実施形態では、母材４０に対する面出し処理に係るバイトの移動方向をこの凹溝５２の延長方向に設定する。ここでこのような面出し処理は、バイトにより母材４０の表面を切削して母材４０の表面を平坦化する処理ではあるものの、処理後の表面を微細に観察すると、図１３（ｂ)により示すように、微細な凹溝５２による切削痕が作製される。なお実測した結果では、この凹溝は約５０μｍ幅、深さ２６ｎｍ、断面円弧形状により、配向膜の賦型に係るライン状凹凸形状より格段に大きな幅により、かつ右目用領域Ａ及び左目用領域Ｂより小さな幅により作製される。
【００６１】
より具体的に、この実施形態では、図１３（ａ）に示すように、母材４０の回転速度に対するバイトの送り速度の設定により、円周接線方向に対し工具軌跡が角度θとなるように設定し、これによりこの凹溝５２の延長方向に係る斜めに傾いた角度θを５度以上、３０度以下の範囲で所望の角度に設定した。
【００６２】
これにより図１４（ａ）に示すように、この実施形態に係るロール版５１は、この凹溝５２による凹凸形状の表面に、下地層４１、第１の無機材料層４２、第２の無機材料層４４が順次設けられ、この第１及び第２の無機材料層４２、４４による表面形状に凹溝５２による凹凸形状が現れることになる。またロール版５１を平面視した場合には、この凹溝５２が、配向膜３の右目用領域Ａ及び左目用領域Ｂに対応する領域ＡＲＡ及びＡＲＢの長手方向に対して角度θだけ傾いて延長するように作製されることになる。
【００６３】
その結果、図１５に示すように、このロール版５１により作製されるパターン位相差フィルム６１の配向膜３においては、この凹溝５２に対応する凸条６２による凹凸形状により表面形状が変化した上で、さらに配向に供するライン状の凹凸形状が作製されることになる。これによりこの実施形態では、さらに一段と、右目用領域と左目用領域との境界に関する規則性を緩和することができ、一段と他の部位に比して明るさの異なる帯状領域の発生が防止することができる。
【００６４】
なおこのように、面出し工程を利用して凹溝を作製する代わりに、別途、専用の工程を設けて凹溝を作製してもよい。
【００６５】
この実施形態では、さらに右目用領域及び左目用領域の長手方向に対して斜めに傾いた角度で延長する断面円弧形状による凹溝により、配向膜の表面形状を変化させることにより、他の部位に比して明るさの異なる帯状領域の発生を防止することができる。
【００６６】
〔第３実施形態〕
図１６及び図１７は、図３及び図４との対比により示す第３実施形態に係るロール版の製造工程を示す図である。この実施形態では、領域Ａ及びＢを交互にマスクしてラビング処理することにより、ロール版を作成する。この実施形態では、この図１６及び図１７に係るロール版の作成工程が異なる点を除いて、第１実施形態又は第２実施形態と同一に構成される。なおこの実施形態において、上述の実施形態と同一の構成は対応する符号を付して示し、重複した説明は省略する。
【００６７】
この製造工程では、母材４０の周側面を切削により平滑化した後、順次、下地層４１、無機材料層４２が作製される（図１６（ａ））。続いてこの工程は、マスク作製工程において、レジスト材料により、右目用領域Ａに対応する領域ＡＲＡを被覆し、かつ左目用領域Ｂに対応する領域ＡＲＢを露出させたマスク４３Ａが作製される（図１６（ｂ））。続いてこの工程は、図１６（ｃ）に示すように、第１の凹凸形状作製工程において、ラビング処理により全面に微小なライン状凹凸形状を形成する。
【００６８】
続いてこの工程は、マスク４３Ａを除去した後、図１７（ｄ）に示すように、マスク４３Ａとは逆に、左目用領域Ｂに対応する領域ＡＲＢを被覆し、かつ右目用領域Ａに対応する領域ＡＲＡを露出させたマスク４３Ｂが作製される。続いてこの工程は、図１７（ｅ）に示すように、第２の凹凸形状作製工程において、ラビング処理により全面に微小なライン状凹凸形状を形成する。
【００６９】
その後、製造工程は、図１７（ｆ）に示すように、レジスト除去工程において、マスク４３Ｂを除去する。これらによりこの製造工程は、交互のマスクラビングにより配向膜１３の領域Ａ及びＢに対応する凹凸形状を作製し、ロール版３０を作製する。
【００７０】
この一連のロール版作成工程において、この実施形態では、第１実施形態について上述したと同様のマスクの設定により、領域Ａ及びＢの間の境界が蛇行するように、ロール版を作製する。
【００７１】
この第３実施形態では、交互のマスクラビングによりロール版を作成する場合でも、第１実施形態と同様の効果を得ることができる。
【００７２】
〔他の実施形態〕
以上、本発明の実施に好適な具体的な構成を詳述したが、本発明は、本発明の趣旨を逸脱しない範囲で、上述の実施形態の構成を種々に変更し、さらに組み合わせることができる。
【００７３】
すなわち上述の実施形態では、パターン位相差フィルムにおける境界を蛇行させ、またさらには境界に対して斜めに傾く凸条を作成する場合について述べたが、本発明はこれに限らず、これらの構成に加えて、領域間の段差を低減させるように構成してもよい。すなわち上述の第１実施形態では、第１の無機材料層４２、第２の無機材料層４４を順次積層してロール版を作製していることにより（図４（ｆ））、領域ＡＲＡ、ＡＲＢで、第２の無機材料層４４の厚みによる段差が発生する。パターン位相差フィルムでは、この段差までも賦型され、これにより右目用領域Ａと左目用領域Ｂとで、段差が発生することになる。このような段差の発生は、画像表示パネルからの斜め出射光に対して、右目用領域Ａと左目用領域Ｂの交互の繰り返しによる規則性を強調することなる。これによりこのような段差を小さくすることにより、一段と確実に他の部位に比して明るさの異なる帯状領域の発生を防止することができる。なお具体的に、第２の無機材料層４４の膜厚を１００μｍよりも小さくして、好ましくは５０μｍ以下として、さらにより好ましくは２０μｍ以下として、確実に他の部位に比して明るさの異なる帯状領域の発生を防止することができる。
【００７４】
また上述の各実施形態の構成に加えて、パターン位相差フィルムにおける境界を幅広とするようにして、帯状領域の発生を一段と防止するようにしてもよい。なおこの場合、第１の実施形態の構成を前提とする場合には、マスク４３の膜厚を厚くすれば、下層の領域ＡＲＢのこのマスク４３のエッジに接する部位において、充分にラビング処理できない個所が発生し、これにより境界を拡大することができる。
【００７５】
また上述の各実施形態の構成に加えて、右目用領域Ａ及び左目用領域Ｂの領域幅を可変（変調）することにより、右目用領域Ａ及び左目用領域Ｂの繰り返しによる規則性を緩和し、帯状領域の発生を一段と防止するようにしてもよい。なおこの場合、例えば連続する右目用領域Ａ及び左目用領域Ｂを一定本数毎区切ってグループ化し、各グループ単位で領域幅を可変してもよい。またランダムに、領域単位で、領域幅を可変してもよい。またさらに各領域の長手方向で領域幅を可変してもよい。
【００７６】
また上述の各実施形態の構成に加えて、画像表示パネル側の遮光部の構成により帯状領域の発生を一段と防止するようにしてもよい。なおこの遮光部の処理にあっては、上述の境界にかかる処理と同様に、例えば遮光部のエッジを蛇行させる場合、遮光部の幅を可変（変調）する場合等、種々の手法を広く適用することができる。
【００７７】
また上述の実施形態では、露光用マスクの設定により境界を蛇行させる場合について述べたが、本発明はこれに限らず、露光用マスクを使用しないで、直接の露光処理により母材表面にマスク４３（図３（ｃ））を作製する場合にも広く適用することができる。なおこの場合、この直接の露光に供する紫外線の操作によりマスク４３のエッジを蛇行させることにより、境界を蛇行させることができる。
【００７８】
また上述の実施形態では、紫外線硬化性樹脂を賦型用樹脂に適用する場合について述べたが、本発明はこれに限らず、紫外線硬化性樹脂以外の各種の賦型用樹脂を広く適用することができ、また軟化させた基材を直接ロール版に押し付けて賦型する場合にも広く適用することができる。
【００７９】
また上述の実施形態では、賦型層により配向膜を作成する場合について述べたが、本発明はこれに限らず、いわゆる光配向の手法を適用して配向膜を作成する場合にも広く適用することができる。
【００８０】
また上述の実施形態では、ロール版によりパターン位相差フィルムを生産する場合について述べたが、本発明はこれに限らず、平板によりパターン位相差フィルムを生産する場合にも広く適用することができる。
【００８１】
また上述の実施形態では、液晶表示パネルの使用を前提とする場合について述べたが、本発明はこれに限らず、有機ＥＬパネル、プラズマディスプレイパネルの使用を前提とする場合にも広く適用することができ、また偏光フィルタを一体に設ける場合にも広く適用することができる。
【符号の説明】
【００８２】
１、６１  パターン位相差フィルム
２  基材
３  配向膜
４  位相差層
５  賦型層
１０  製造工程
１１  供給リール
１２、１９  ダイ
１４  加圧ローラ
１５、１７  紫外線照射装置
１６  剥離ローラ
１８  巻き取りリール
２０、５１  ロール版
４０  母材
４１  下地層
４２、４４  無機材料層
４３  マスク
５０  露光用マスク
５２  凹溝
６２  凸条
【図１】
0005594334.tif 000002
【図２】
0005594334.tif 000003
【図３】
0005594334.tif 000004
【図４】
0005594334.tif 000005
【図５】
0005594334.tif 000006
【図６】
0005594334.tif 000007
【図７】
0005594334.tif 000008
【図８】
0005594334.tif 000009
【図１２】
0005594334.tif 000010
【図１３】
0005594334.tif 000011
【図１４】
0005594334.tif 000012
【図１５】
0005594334.tif 000013
【図１６】
0005594334.tif 000014
【図１７】
0005594334.tif 000015
【図１８】
0005594334.tif 000016
【図１９】
0005594334.tif 000017
【図９】
0005594334.tif 000018
【図１０】
0005594334.tif 000019
【図１１】
0005594334.tif 000020